(57)【要約】【課題】  様々な大きさや形状の枕を使用できるようにし、しかも小枕の形を保持しやすくして使用者の体型に応じた形状を作りやすいようにし、さらにソファの肘掛け等も枕代わりに使用できるようにする。【解決手段】  枕Ａを左右から出し入れ可能に収納するための筒状のカバー部２と、そのカバー部２の表面に前後方向へ折り曲げ自在に設けた横長い小径の第１小枕３と、カバー部２の表面に前後方向へ折り曲げ自在に連設した横長い小径の第２小枕４及び第３小枕５とで構成する。第１小枕３と第２小枕４と第３小枕５の内部には粒状の詰め物を充填し、その詰め物を中央に寄せ集めたり両脇に広げることで使用者の体型に合わせて高さや形状を微調整できるようにする。使用する際は、カバー部２に枕Ａを収納するか、空の状態のカバー部２を枕Ａやソファの肘掛け等の上に直接敷く。【選択図】  図２
0003170018.tif 000002
【実用新案登録請求の範囲】
【請求項１】
枕を左右から出し入れ可能に収納するための筒状のカバー部と、そのカバー部の表面に前後方向へ折り曲げ自在に設けた横長い小径の第１小枕と、カバー部の表面に前後方向へ折り曲げ自在に連設した横長い小径の第２小枕及び第３小枕とで構成した、枕カバー。
【請求項２】
第１〜３小枕が、その内部に粒状の詰め物が充填されたものである、請求項１記載の枕カバー。
【請求項３】
第１小枕と第２小枕を長さ２〜５ｃｍのマチ部材でカバー部に連結した、請求項１又は２記載の枕カバー。
【考案の詳細な説明】
【技術分野】
【０００１】
本考案は、睡眠時の身体を自然な姿勢に保持できる健康枕として使用するための枕カバーに関する。
【背景技術】
【０００２】
従来の健康枕が特許文献１で開示されている。この技術は、枕の表面に第１小枕を折り曲げ自在に設け、その第１小枕に所定長さの和布を介して第２小枕を設けた構成を特徴としている。この技術によれば、睡眠時に第１小枕と第２小枕を首下と腰下に配置して隙間を埋めることで、身体を自然な姿勢に保持できるようになる、というものである。
【０００３】
ところで、前記健康枕は以下のような問題点があった。
ａ）枕と各小枕は一体化された構造であるから、枕の大きさや形状が限定されてしまい、使用者に合わないことがある。
ｂ）各小枕はそれぞれが単独のもので寸法も大きいから、中の詰め物の移動が激しく、形が崩れやすい。
ｃ）首下を支える小枕は１体であるから、使用範囲が狭い。
ｄ）ソファの肘掛け等を枕代わりにして前記健康枕で仮眠する場合、一体化されている枕が邪魔になり、使用場所が制限される。
【先行技術文献】
【特許文献】
【０００４】
【特許文献１】実開平７−１１９７６号公報
【考案の概要】
【考案が解決しようとする課題】
【０００５】
本発明が解決しようとする課題は、従来のこれらの問題点を解消し、様々な大きさや形状の枕を使用できるようにし、しかも小枕の形を保持しやすくして使用者の体型に応じた形状を作りやすいようにし、さらにソファの肘掛け等も枕代わりに使用できるようにすることにある。
【課題を解決するための手段】
【０００６】
かかる課題を解決した本考案の構成は、
１）  枕を左右から出し入れ可能に収納するための筒状のカバー部と、そのカバー部の表面に前後方向へ折り曲げ自在に設けた横長い小径の第１小枕と、カバー部の表面に前後方向へ折り曲げ自在に連設した横長い小径の第２小枕及び第３小枕とで構成した、枕カバー
２）  第１〜３小枕が、その内部に粒状の詰め物が充填されたものである、前記１）記載の枕カバー
３）  第１小枕と第２小枕を長さ２〜５ｃｍのマチ部材でカバー部に連結した、前記１）又は２）記載の枕カバー
にある。
【考案の効果】
【０００７】
本考案の前記１）記載の構成によれば、以下の効果を奏する。
Ａ）枕をカバー部に出し入れ可能であるから、カバー部に収納できるものであれば様々な大きさや形状の枕を使用でき、汎用性に優れるものとなる。
Ｂ）第１〜３小枕は寸法の小さいものを設けているから、中の詰め物が大きく移動することがなく、形を保持しやすいものとなる。
Ｃ）第１〜３小枕を様々に組み合わせることで使用者の体型に応じた形状を柔軟に作ることができ、就寝だけでなくゴロ寝等にも応用でき、使用範囲が広いものとなる。
Ｄ）空の状態のカバー部を枕やソファの肘掛けや段積みした本の上に直接敷くことで、枕が大きすぎてカバー部に収納できない場合や枕以外のものを枕代わりにする場合でも使用できるようになる。
【０００８】
本考案の前記２）記載の構成によれば、詰め物を中央に寄せ集めたり両脇に広げたりすることで、第１〜３小枕を使用者の体型に合わせて高さや形状を微調整でき、より使用感に優れるものとなる。
【０００９】
本考案の前記３）記載の構成によれば、マチ部材によって第１〜３小枕が自在に動きやすくなり、所望の位置に移動させやすくなる。
【図面の簡単な説明】
【００１０】
【図１】実施例の枕カバーの一部切欠き平面図である。
【図２】実施例の枕カバーの側面図である。
【図３】実施例の枕カバーの使用状態を示す説明図である。
【図４】実施例の枕カバーの使用状態を示す説明図である。
【図５】実施例の枕カバーの使用状態を示す説明図である。
【図６】実施例の枕カバーの使用状態を示す説明図である。
【図７】実施例の枕カバーの使用状態を示す説明図である。
【図８】実施例の枕カバーの使用状態を示す説明図である。
【図９】実施例の枕カバーの使用状態を示す説明図である。
【考案を実施するための形態】
【００１１】
以下、本考案を実施するための形態を実施例と図面に基づいて具体的に説明する。
【実施例】
【００１２】
図１は実施例の枕カバーの一部切欠き平面図、図２は実施例の枕カバーの側面図、図３〜９は実施例の枕カバーの使用状態を示す説明図である。図中、１は枕カバー、２はカバー部、３は第１小枕、４は第２小枕、５は第３小枕、６は詰め物、７はマチ部材、Ａは枕である。
【００１３】
本実施例の枕カバー１は布製で、図１，２に示すように、枕Ａを左右から出し入れ可能に収納するための筒状のカバー部２と、そのカバー部２の表面に前後方向へ折り曲げ自在に設けた横長い小径の第１小枕３と、カバー部２の表面に前後方向へ折り曲げ自在に連設した横長い小径の第２小枕４及び第３小枕５とで構成されている。
【００１４】
カバー部２は左右に連通する筒状で、枕Ａを左右いずれの方向からも出し入れできるようになっている。この左右いずれかの開口を閉じて枕Ａをずれにくくしてもよく、ファスナー等で開口を開閉可能に封止して袋状に形成してもよい。また、カバー部２の布地は伸び縮みできる材料を用いてもよい。カバー部２の前後の長さはおよそ４５ｃｍ、左右の幅はおよそ６０ｃｍである。
【００１５】
第１小枕３と第２小枕４と第３小枕５は袋状で、その内部に粒状の詰め物６が充填されており、その詰め物６を中央に寄せ集めたり両脇に広げたりして高さや形状を微調整できるようになっている。この詰め物６は粒状物に代えて弾性を有する中空パイプを使用することもでき、使用時に頭が冷えて気持ちが良いものになり、洗濯も容易となる。第２小枕４と第３小枕５は、１つの袋を長手方向に２分するように縫い付けて仕切りを形成することで、２つの小枕を形作っている。第１小枕３と第２小枕４と第３小枕５は、前後の長さがおよそ１２ｃｍ、左右の幅がおよそ６１ｃｍである。また、詰め物６は平均的な厚さが３〜４ｃｍとなる量が充填されている。
【００１６】
第１小枕３と第２小枕４は、長さ３ｃｍのマチ部材７でカバー部２に連結している。このマチ部材７で第１小枕３と第２小枕４と第３小枕５が自在に動きやすくなり、所望の位置に移動させやすくなる。また、そのマチ部材７の部分に頭を載せた場合、マチ部材７は平坦であるから窪んでいるように感じ、ドーナツ状の枕で寝た感覚になる。なお、マチ部材７の両端部分をカバー部２の一部に縫い付けると、第１小枕３と第２小枕４と第３小枕５（特に第１小枕３）のずり落ちがかなり防止できるようになる。以下、本実施例の枕カバー１の様々な使用例を図３〜９に基づいて説明する。
【００１７】
図３に示すのは、首下の隙間を埋めて肩と首の負担を軽減する例である。この例では、カバー部２に平坦なスポンジ製の枕Ａを収納し、第２小枕４と第３小枕５を折り曲げて頭の下に配置されるようにカバー部２に重ね、さらに第１小枕３を折り曲げて首下に配置されるように第２小枕４の根元に重ねる。第１小枕３と第２小枕４と第３小枕５は使用者の頭・顎・首の高さに応じて内部の詰め物６を移動させ、首下の隙間が埋まるように調整する。これにより、肩と首の負担が軽減されて快適に睡眠できるようになる。また、寝つきが良くなり、朝までぐっすりと眠ることができ、いびきの音も軽減されるようになる。さらに、枕Ａは別体であるから、洗濯時は枕Ａをカバー部２から取り外して洗濯機で容易に洗濯できるようになる。
【００１８】
図４に示すのは、図３の他の例である。この例では、枕カバー１を前後逆向きにし、第２小枕４と第３小枕５を折り曲げてカバー部２に重ね、第１小枕３は使用しない。この例も図３の例と同じように、第３小枕５で首下の隙間が埋まり、肩と首の負担が軽減されて快適に睡眠できるようになる。第３小枕５が首下に届きにくい場合は、枕カバー２を少し回転させてマチ部材７の位置を移動させるとよい。この例は、使用者の体型の違いや使い心地の善し悪し、あるいは枕Ａの大きさに応じて図３の例と使い分ける方法である。
【００１９】
図５に示すのは、枕Ａの高さを嵩上げする例である。この例では、第２小枕４と第３小枕５を折り曲げてカバー部２に重ね、さらに第１小枕３を折り曲げて第２小枕４に重ねる。これにより、枕Ａの全高がやや高くなり、枕Ａの高さが不足する場合でも別の大きめの枕Ａを用意することなく使用できるようになる。このとき、中の詰め物６を中央に寄せ集めたり両脇に広げたりして高さを微調整してもよい。
【００２０】
図６に示すのは、枕Ａが大きくてカバー部２に収納できない場合や、ソファの肘掛けや段積みした本を枕代わりにする場合の使い方の例である。この例では、空の状態のカバー部２を枕Ａやソファの肘掛けや段積みした本の上に直接敷くことで、枕Ａの大きさや使用場所に係わらずに前記と同じような使い方ができるようになる。また、枕Ａはカバー部２に収納できる大きさであるが、その出し入れが面倒な場合にも好適である。
【００２１】
図７に示すのは、膝の裏に置いて使用する例である。この例では、第１小枕３と第２小枕４と第３小枕５がカバー部２の中間に位置されるようにマチ部材７を上面に移動させ、第１小枕３と第２小枕４と第３小枕５で全体を山形状に形成する。これにより、曲げた足を膝裏で安定して支えることができ、足の疲労が解消されるようになる。また、第１小枕３と第２小枕４と第３小枕５は寸法が小さいから、詰め物６が大きく動いて形が崩れることがなく、山形状を安定して保持できる。このときも、図５の例と同様に、中の詰め物６を中央に寄せ集めたり両脇に広げたりして使いやすい高さや形状に微調整してもよい。なお、頭部の枕用に本実施例の枕カバー１と枕Ａをもう１組用意して併用すると、身体が腰から背中にかけて真っ直ぐになり、気持ちが良いものとなる。
【００２２】
図８に示すのは、身体を横向きにして使用する例である。この例では、第１小枕３と第２小枕４と第３小枕５がカバー部２の中間に位置されるようにマチ部材７を上面に移動させ、第１小枕３と第２小枕４と第３小枕５で全体を山形状に形成する。これにより、第１小枕３と第２小枕４と第３小枕５で脇下の隙間が埋まって支えられ、快適にゴロ寝できるようになる。このときも、図５，７の例と同様に、中の詰め物６を中央に寄せ集めたり両脇に広げたりして使いやすい高さや形状に微調整してもよい。
【００２３】
図９に示すのは、カバー部２を表裏逆にして使用する例である。この例では、カバー部２をひっくり返して裏地を表に出すことで、第１小枕３と第２小枕４と第３小枕５がカバー部２の中に収納された状態となる。これにより、枕Ａと第１小枕３と第２小枕４と第３小枕５がカバー部２で包まれて一体になり、使用中にずれにくくなって使い勝手がより優れるものとなる。なお、このカバー部２をひっくり返した状態を製品の形態としてもよく、その場合はカバー部２の表裏に同じ色柄が現れるように製作するとよい。
【産業上の利用可能性】
【００２４】
本考案の技術は、就寝やソファでの仮眠等に利用される。
【符号の説明】
【００２５】
１  枕カバー
２  カバー部
３  第１小枕
４  第２小枕
５  第３小枕
６  詰め物
７  マチ部材
Ａ  枕
【図１】
0003170018.tif 000003
【図２】
0003170018.tif 000004
【図３】
0003170018.tif 000005
【図４】
0003170018.tif 000006
【図５】
0003170018.tif 000007
【図６】
0003170018.tif 000008
【図７】
0003170018.tif 000009
【図８】
0003170018.tif 000010
【図９】
0003170018.tif 000011
【手続補正書】
【提出日】平成23年6月27日(2011.6.27)
【手続補正１】
【補正対象書類名】実用新案登録請求の範囲
【補正対象項目名】全文
【補正方法】変更
【補正の内容】
【実用新案登録請求の範囲】
【請求項１】
枕を左右から出し入れ可能に収納するための筒状のカバー部と、そのカバー部の表面に連結されてその連結部分で枕の出し入れ方向と直交する方向に動かせるように設けた左右に横長い小径の第１小枕と、カバー部と前記第１小枕との前記連結部分に近い位置のカバー部の表面位置で連結されてその連結部で枕の出し入れ方向と直交する方向に動かせるように設けた左右に横長い小径の第２小枕と、前記カバー部と前記第２小枕との連結部の反対側の第２小枕の周縁位置に連結された左右に横長い小径の第３小枕とから構成された、枕カバー。
【請求項２】
第１〜３小枕が、その内部に粒状の詰め物が充填されたものである、請求項１記載の枕カバー。
【請求項３】
カバー部と第１小枕との連結部分及びカバー部と第２小枕との連結部を、長さ２〜５ｃｍのマチ部材で連結した、請求項１又は２記載の枕カバー。
【手続補正２】
【補正対象書類名】明細書
【補正対象項目名】０００６
【補正方法】変更
【補正の内容】
【０００６】
かかる課題を解決した本考案の構成は、
１）  枕を左右から出し入れ可能に収納するための筒状のカバー部と、そのカバー部の表面に連結されてその連結部分で枕の出し入れ方向と直交する方向に動かせるように設けた左右に横長い小径の第１小枕と、カバー部と前記第１小枕との前記連結部分に近い位置のカバー部の表面位置で連結されてその連結部で枕の出し入れ方向と直交する方向に動かせるように設けた左右に横長い小径の第２小枕と、前記カバー部と前記第２小枕との連結部の反対側の第２小枕の周縁位置に連結された左右に横長い小径の第３小枕とから構成された、枕カバー
２）  第１〜３小枕が、その内部に粒状の詰め物が充填されたものである、前記１）記載の枕カバー
３）  カバー部と第１小枕との連結部分及びカバー部と第２小枕との連結部を、長さ２〜５ｃｍのマチ部材で連結した、前記１）又は２）記載の枕カバー
にある。
【手続補正３】
【補正対象書類名】図面
【補正対象項目名】図１
【補正方法】変更
【補正の内容】
【図１】
0003170018.tif 000012